(57)【要約】【課題】  電装箱内を効果的に冷却するようにした空気調和機の室外機を提供する。【解決手段】  仕切板３の上部に設けられ、機械室Ｂの上部と熱交換器室Ａの上部に跨って略水平に延びる電装箱７を配設した空気調和機の室外機１において、前記電装箱７には機械室Ｂ側に第１開口部２５と、熱交換器室Ａ側の側面に第２開口部２８と、これら第１開口部２５及び第２開口部２８を連通する通風路４６とを設け、前記第２開口部２８には上下に複数のヒートシンク３５、３６を配置すると共に、これらヒートシンク３５、３６間に隙間部４３を設けて取付け、この隙間部４３には電装箱７内への雨水の浸入を防ぐ防水手段４２ｃ、４２ｄ、４５を設けた。【選択図】      図４
2004271168.tif 000002
【特許請求の範囲】
【請求項１】
箱体を構成する底板上に仕切板を立設し、この仕切板を境に圧縮機を有する機械室と、熱交換器及び送風機を有する熱交換器室とに区画し、前記仕切板の上部に設けられ、かつ、機械室の上部と熱交換器室の上部に跨って略水平に延びる電装箱を配設した空気調和機の室外機において、
前記電装箱には機械室側に第１開口部と、熱交換器室側の側面に第２開口部と、これら第１開口部及び第２開口部を連通する通風路とを設け、前記第２開口部には上下に複数のヒートシンクを配置すると共に、これらヒートシンク間に隙間部を設けて取付け、この隙間部には電装箱内への雨水の浸入を防ぐ防水手段を設けたことを特徴とする空気調和機の室外機。
【請求項２】
前記ヒートシンクは、ベース部と、このベース部に立設される複数の板状の放熱フィンとを有しこれら放熱フィンが水平になるように取付けられ、前記防水手段は隙間部の上方及び下方に配置される放熱フィンから構成され、上方放熱フィンは隙間部及び下方放熱フィンの前方を覆うように設けられたことを特徴とする請求項１に記載の空気調和機の室外機。
【請求項３】
前記第１開口部は第２開口部に対向する面に設けられ、電装箱内には複数の制御基板を配設したことを特徴とする請求項１または２に記載の空気調和機の室外機。
【請求項４】
前記電装箱には熱交換器室側に開口する第３開口部を設けたことを特徴とする請求項１または２に記載の空気調和機の室外機。
【発明の詳細な説明】
【技術分野】
【０００１】
本発明は、空気調和機の室外機に設けられた電装箱内の冷却に関する。
【背景技術】
【０００２】
一般に、圧縮機、熱交換器及び送風機等を箱体内に収納した室外機が知られている。この種のものでは、箱体は底板と鋼板製のカバーとで構成され、底板の周囲に前板と側板と背板とを配置し、この前板、側板及び背板の上に天板を載せて組み立てられている。箱体内は底板に立設された仕切板により、熱交換器室と機械室とに区画されており、熱交換器室には熱交換器及び送風機等が配置され、機械室には圧縮機及びアキュームレータ等が配置されている。
【０００３】
また、仕切板の上部には機械室の上部と熱交換器室の上部の一部とに跨って略水平に電装箱が配置されている。この電装箱内には、例えば、空気調和機の運転を制御する制御基板が設けられ、この制御基板上にはインバータ用のパワーモジュール、電解コンデンサ等の電気部品が配置され、パワーモジュール等の発熱素子には熱交換器室に延出するヒートシンクが取付けられている（例えば、特許文献１参照）。
【特許文献１】特開２００２−２４３２１０号公報
【発明の開示】
【発明が解決しようとする課題】
【０００４】
ところで、設計上、前述したような室外機の能力や機能をアップする場合、電気部品の電気容量が大きくなるとともに、圧縮機や熱交換器等の構成部品や電気部品の寸法を大きくすることがある。
【０００５】
しかしながら、室外機の外形寸法は、できるだけ小型化することが要望されており、例えば、電気部品の電気容量アップや部品点数の増加がなされていても、電装箱の大きさは、同じ大きさに抑えられる。このため、電装箱内が過密化するとともに、電装箱内の温度が上昇し温度の上限を越えることがあり、電気部品の寿命や性能に影響を及ぼすという問題があった。
【０００６】
本発明の目的は、上述のような従来の事情に鑑みなされものであり、電装箱内を効果的に冷却するようにした空気調和機の室外機を提供することにある。
【課題を解決するための手段】
【０００７】
上記目的を達成するために、請求項１記載の発明は、箱体を構成する底板上に仕切板を立設し、この仕切板を境に圧縮機を有する機械室と、熱交換器及び送風機を有する熱交換器室とに区画し、前記仕切板の上部に設けられ、かつ、機械室の上部と熱交換器室の上部に跨って略水平に延びる電装箱を配設した空気調和機の室外機において、前記電装箱には機械室側に第１開口部と、熱交換器室側の側面に第２開口部と、これら第１開口部及び第２開口部を連通する通風路とを設け、前記第２開口部には上下に複数のヒートシンクを配置すると共に、これらヒートシンク間に隙間部を設けて取付け、この隙間部には電装箱内への雨水の浸入を防ぐ防水手段を設けたことを特徴とする。
【０００８】
請求項２に記載の発明は、請求項１に記載の空気調和機の室外機において、前記ヒートシンクは、ベース部と、このベース部に立設される複数の板状の放熱フィンとを有し、これら放熱フィンが水平になるように取付けられ、前記防水手段は隙間部の上方及び下方に配置される放熱フィンから構成され、上方放熱フィンは隙間部及び下方放熱フィンの前方を覆うように設けられたことを特徴とする。
【０００９】
請求項３に記載の発明は、請求項１または２に記載の空気調和機の室外機において、前記第１開口部は第２開口部に対向する面に設けられ、電装箱内には複数の制御基板を配設したことを特徴とする。
【００１０】
請求項４に記載の発明は、請求項１または２に記載の空気調和機の室外機において、前記電装箱には熱交換器室側に開口する第３開口部を設けたことを特徴とする。
【発明の効果】
【００１１】
本発明の電装箱は、熱交換器室内に延出した側面に複数のヒートシンクを配置する第２開口部を設け、ヒートシンク間に隙間部を設けたので、機械室側の第１開口部から流入した空気が隙間部から熱交換室へ流出する。これにより電装箱内を冷却空気がスムーズに流れるので、電装箱内を効率良く冷却することができる。
【００１２】
また、前記隙間部は熱交換器室側をヒートシンクの放熱フィンで囲まれているので、熱交換室に入った雨水が電装箱内へ浸入するのを防ぐことができる。
【実施例１】
【００１３】
以下、本発明の一実施形態を図面に基づいて説明する。
【００１４】
図１は本発明の一実施形態における室外機の分解斜視図である。図１において、１は箱体状の室外機であり、この室外機１は、鋼板製の底板２の上に、同じく鋼板製の仕切板３が立設されて、この仕切板３の両側に熱交換器室Ａ及び機械室Ｂを備えて構成されている。
【００１５】
機械室Ｂには、冷凍サイクルの一部を構成する圧縮機４、アキュームレータ５、冷媒配管６、さらには電装箱７等が配置され、熱交換器室Ａには室外熱交換器８、室外送風機９等が設置されている。
【００１６】
室外機１には鋼板製の左右両側板１２、１３、天板１４、前パネル１５及び背板１６を有しており、左側板１２には鎧戸を有する複数の開口が形成され、右側板１３には冷媒配管６及びユニット間ケーブルを引き出すための引出口が形成され、前パネル１５には格子が取付けられた開口が形成されている。
【００１７】
前記前パネル１５と天板１４とは、一体に成形されて略Ｌ字状に形成され、熱交換器室Ａの背面側は、開放されてこの開放された背面側に室外熱交換器８が配置され、機械室Ｂの背面側には前記右側板１３と略Ｌ字状に一体に形成された背板１６が配置されている。また、室外熱交換器８の上部に補強板１７が配置され、この補強板１７は熱交換器室Ａ及び機械室Ｂのほぼ全幅に亘って設けられている。天板１４は左右の側板１２、１３と室外熱交換器８の上部に配置された補強板１７の上に載せて固定される。これらが熱交換器室Ａ及び機械室Ｂを囲う箱体を構成する。
【００１８】
図２は前パネル１５を外した室外機の正面図である。図２において、前記仕切板３の上部には電装箱７が略水平に設けられ、この電装箱７は仕切板３を跨いで機械室Ｂ側から熱交換器室Ａ側に延出している。電装箱７には、その天面から前面に渡って、スポンジ状のシール材１８が配置される。このシール材１８は、仕切板３の配置される位置の上部に配置され、シール材１８を電装箱７の天面及び前面と、図示は省略したが、室外機１の天板１４及び前パネル１５とで挟み込むことによって、熱交換器室Ａと機械室Ｂとの間を水密に保っている。
【００１９】
これにより、熱交換器室Ａには前面（前パネル１５）及び左側面の開口から雨水が浸入するが、機械室Ｂは天板１４、前パネル１５、右側板１３及び背板１６によって覆われているため、雨水が浸入しないようになっている。
【００２０】
図３は前板を一部切欠いて示した電装箱の斜視図、図４は電装箱の縦断面図、図５は図３の一部拡大図である。図３、図４において、電装箱７は箱体状をして、上板２１、前板２２、後板２３及び下板２４を有しており、前板２２、後板２３及び下板２４が一体に成形され、開口した上面に蓋体としての上板２１が取付けられている。上板２１は後述する制御基板３１ａ、３１ｂ等の電気部品が電装箱７内に配設された後に取付けられる。
【００２１】
右側面は電装箱７への第１開口部２５として開口され、その下部には一端を室外機１の右側板１３（図１参照）に固定する端子台用の取付板２６が設けられ、この取付板２６には電源及び室内機へ配線するための端子台２７が載置されている。左側面には熱交換器室Ａへ開口し部品（ヒートシンク）の取付部としての第２開口部２８が設けられている。下板２４は熱交換器室Ａ側に配置される左端部が下方に開口（以下、第３開口部２９という）し、この第３開口部２９には先端を仕切板３へ向けて開口する案内ダクト２９ａが形成されている。上面は全体に開口して上板２１が蓋として機能し、
【００２２】
電装箱７の内部には上部と下部に水平に２枚の制御基板３１ａ、３１ｂが配設され、これら上下制御基板３１ａ、３１ｂ上には、それぞれ電気部品が配設されている。
【００２３】
前記第２開口部２８には開口周縁にフランジが内設され、このフランジに複数のねじ孔が設けられている。これらねじ孔にはヒートシンク３５、３６がねじ止め固定される。各ヒートシンク３５、３６は四角形の板状のベース部４１と長方形板状の複数の放熱フィン４２とを有しており、アルミニウム製で一体成形されている。これら放熱フィン４２はベース部４１に垂直に結合されると共に、ベース部４１の幅いっぱいに延在している。これらヒートシンク３５、３６には、圧縮機の稼動時に大量の熱を発生する発熱素子（ダイオード、パワーモジュール）３２、３３がそれぞれ密接して取付けられると共に、連結具５１ａ、５１ｂを介して上下の制御基板３１ａ、３１ｂが連結され、制御基板３１ａ、３１ｂと上下のヒートシンク３５、３６と発熱素子３２、３３との組合せが間違わないようにしている。
【００２４】
これらヒートシンク３５、３６は、放熱フィン４２を水平にして前記第２開口部２８に上下２段に配置される。そして第２開口部２８をベース部４１ａ、４１ｂ面で覆うように、かつ、ヒートシンク３５、３６間に横長のスリット状の隙間部４３を有するように取付けられる。これらヒートシンク３５、３６には発熱素子３２、３３からの熱が伝わり温度上昇するが、ベース部４１及び放熱フィン４２が熱交換器室Ａに延出しているので、熱交換器室Ａを通過する空気によって、ヒートシンク３５、３６が冷却され、発熱素子３２、３３が十分に冷却される。
【００２５】
ここで、室外機１の前面、背面及び左側面が開口しており、これら開口を通して熱交換器室Ａには雨水が浸入する一方、電装箱７の第２開口部２８には、スリット状の隙間部４３が設けられているので、この隙間部４３を通して電装箱７内へ雨水が浸入するおそれがある。このため、上側ヒートシンク３５の最下段の放熱フィン（以下、上方放熱フィンという）４２ｃには、図５に示すように、フィン下面途中から直角に垂設する四角形板状の補助フィン４５が横幅いっぱいに設けられている。この補助フィン４５は、隙間部４３の前方及び下側ヒートシンク３６の最上段の放熱フィン（以下、下方放熱フィンという）４２ｄの前方を覆っている。下方放熱フィン４２ｄは出長さが短く形成され、その先端が補助フィン４５よりもベース部４１側になっており、下方放熱フィン４２ｄと補助フィン４５との間に間隔を設けて隙間部４３と熱交換器室Ａとの間で通気性を有すようにしている。そしてこれら上方放熱フィン４２ｃ、補助フィン４５及び下方放熱フィン４２ｄが隙間部４３を囲むように配設されて、隙間部４３を通して電装箱７内へ雨水が浸入することを防いでいる。またこれらフィン４２ｃ、４５、４２ｄの前側及び後側には、前パネル１５及び熱交換器８が配置されて多少のすきまを有するが、隙間部４３を通して電装箱７への雨水の侵入はほとんどない。
【００２６】
以上のように構成された空気調和機の室外機１において、空調運転時に室外送風機９が稼動すると、熱交換器８を通して熱交換器室Ａへ取り込まれた外気が、前パネル１５から吹き出されることにより、熱交換器室Ａ内の風圧が低くなる。これにより熱交換器室Ａに延出した電装箱７の隙間部４３及び第３開口部２９から電装箱７内の空気が排出され、排出されることにより、室外機１のわずかな隙間（雨水の浸入を防ぎ通気性のある隙間）から機械室Ｂへ侵入した外気が、図４、図５に示すように、第１開口部２５を通して電装箱７内に流入し制御基板３１ａ、３１ｂの間を流れる。このように電装箱７内には、図４、図５の実線矢印に示すように、第１開口部２５から隙間部４３へ連通する通風路４６と、第１開口部２５から第３開口部２９へ連通する通風路４７とに空気が流れ内部が冷却される。
【００２７】
本発明の室外機１は、電装箱７内に通風路４６、４７が形成され、かつヒートシンク３５、３６が熱交換器室Ａ内に延出しているので、電装箱７内の熱が排出され、かつ発熱素子３２、３３が冷却される。これにより電気部品の性能及び寿命を良好に保つことができる。
【００２８】
また、電装基板３１ａ、３１ｂ及びヒートシンク３５、３６が、電装箱７の上下２段に分かれて配置され、かつ上板２１が蓋になって電装箱７の上面が全面的に開口するので、電装基板３１ａ、３１ｂ及びヒートシンク３５、３６の取付がしやすく、電装箱７の組立を容易にすることができる。
【００２９】
以上、一実施例に基づいて本発明を実施したが、本発明は、これに限定されるものではなく、種々変形が可能である。
【００３０】
本実施形態では、補助フィン４５は上方放熱フィン４２ｃに対して垂直に連結しているが、この角度は限定されるものではなく、必要に応じて角度を変更して連結しても良い。また補助フィン４５と上方放熱フィン４２ｃの連結位置も変更しうるものである。
【００３１】
また、本実施形態では、２個のヒートシンク３５、３６を用いこれらのヒートシンク３５、３６間に１つの隙間部４３を設けて説明しているが、３個以上のヒートシンクを用いて、これらヒートシンク間にそれぞれ隙間部及び防水手段を設けるようにしても良い。
【図面の簡単な説明】
【００３２】
【図１】本発明の一実施形態における室外機の分解斜視図である。
【図２】前板を外した室外機の正面図である。
【図３】電装箱の斜視図である。
【図４】電装箱の縦断面図である。
【図５】図３の一部拡大図である。
【符号の説明】
【００３３】
Ａ  熱交換器室
Ｂ  機械室
１  室外機
２  底板
３  仕切板
４  圧縮機
７  電装箱
８  室外熱交換器
９  室外送風機
１２  左側板
１３  右側板
１４  天板
１５  前板
１８  シール材
２１  上板
２２  前板
２３  後板
２４  下板
２５  第１開口部
２８  第２開口部
２９  第３開口部
３１ａ  上制御基板、
３１ｂ  下制御基板、
３２、３３  発熱素子
３５、３６  ヒートシンク
４１、４１ａ、４１ｂ  ベース部
４２、４２ａ、４２ｂ  放熱フィン
４２ｃ  上方放熱フィン（防水手段）
４２ｄ  下方放熱フィン（防水手段）
４３  隙間部
４５  補助フィン（防水手段）
４６、４７  通風路
【図１】
2004271168.tif 000003
【図２】
2004271168.tif 000004
【図３】
2004271168.tif 000005
【図４】
2004271168.tif 000006
【図５】
2004271168.tif 000007